(57)【要約】【課題】  ユーザが意図する文章等を用いて自動的に日記を作成する。【解決手段】  スケジュール帳から未来の日付が選択されたうえで予約日記の作成指示がなされた際に、予約日記用画面を上記表示手段に表示すると共に、ユーザから指定された情報量分のスケジュール情報を表示して予約日記を形成する。そして、当日日記の作成指示がなされた際に、当日日記の日付と同じ日付の予約日記を読み出し、この予約日記のスケジュール情報を、当日日記用画面に貼り付けて当日日記を形成し、これを所定のネットワーク上のデータベースにアップロードする。これにより、予約日記作成の段階でユーザにより予め選択されたスケジュール情報を当日日記に挿入することができ、ユーザが意図する文章等が挿入された日記を自動的に作成することができる。【選択図】  図３
2005149261.tif 000002
【特許請求の範囲】
【請求項１】
少なくとも日付情報及びスケジュール情報が記憶されたスケジュール帳から、ユーザにより操作手段を介して未来の日付が選択されたうえで予約日記の作成指示がなされた際に、予約日記用画面を上記表示手段に表示すると共に、ユーザにより上記操作手段を介して指定された上記予約日記用画面上の位置に、ユーザにより上記操作手段を介して指定された情報量分の上記スケジュール情報を表示して予約日記を形成する予約日記形成手段と、
上記予約日記形成手段により予約日記が形成された際に、少なくとも、上記ユーザにより選択された未来の日付を示す日付情報、上記予約日記用画面上におけるスケジュール情報の表示位置を示す表示位置情報、及び該表示位置に表示するスケジュール情報を上記スケジュール帳から読み出すためのリンク情報を予約日記情報として記憶する記憶手段と、
上記操作手段を介してユーザにより当日日記の作成指示がなされた際に、上記記憶手段に記憶されている予約日記情報の日付情報に基づいて、当日日記の日付と同じ日付の上記表示位置情報及び上記リンク情報を読み出し、このリンク情報に基づいて、上記スケジュール帳からスケジュール情報を読み出すと共に、上記表示位置情報で示される表示位置に、上記読み出したスケジュール情報を表示した当日日記用画面を上記表示手段に表示して当日日記を形成する当日日記形成手段と、
上記当日日記形成手段で形成された当日日記を、所定のネットワーク上のデータベースにアップロードする通信手段と
を有する携帯端末装置。
【請求項２】
請求項１記載の携帯端末装置であって、
上記当日日記形成手段は、ユーザにより操作手段を介して指定された情報の編集処理を行う編集手段を有すること
を特徴とする携帯端末装置。
【請求項３】
請求項１又は請求項２記載の携帯端末装置であって、
上記記憶手段に記憶されている予約日記情報のうち、過去分となった予約日記情報を上記データベースにアップロードするように上記通信手段を制御すると共に、該アップロードした上記過去分の予約日記情報を上記記憶手段から消去する制御手段を有すること
を特徴とする携帯端末装置。
【請求項４】
少なくとも日付情報及びスケジュール情報が記憶されたスケジュール帳から、ユーザにより操作手段を介して未来の日付が選択されたうえで予約日記の作成指示がなされた際に、予約日記用画面を上記表示手段に表示すると共に、ユーザにより上記操作手段を介して指定された上記予約日記用画面上の位置に、ユーザにより上記操作手段を介して指定された情報量分の上記スケジュール情報を表示して予約日記を形成する予約日記形成手段と、
上記予約日記形成手段として機能することで、上記予約日記が形成された際に、少なくとも、上記ユーザにより選択された未来の日付を示す日付情報、上記予約日記用画面上におけるスケジュール情報の表示位置を示す表示位置情報、及び該表示位置に表示するスケジュール情報を上記スケジュール帳から読み出すためのリンク情報を予約日記情報として記憶手段に記憶制御する記憶制御手段と、
上記操作手段を介してユーザにより当日日記の作成指示がなされた際に、上記記憶手段に記憶されている予約日記情報の日付情報に基づいて、当日日記の日付と同じ日付の上記表示位置情報及び上記リンク情報を読み出し、このリンク情報に基づいて、上記スケジュール帳からスケジュール情報を読み出すと共に、上記表示位置情報で示される表示位置に、上記読み出したスケジュール情報を表示した当日日記用画面を上記表示手段に表示して当日日記を形成する当日日記形成手段と、
上記当日日記形成手段として機能することで形成された当日日記を、所定のネットワーク上のデータベースにアップロードする通信手段として
コンピュータを機能させる日記作成プログラム。
【請求項５】
請求項４記載の日記作成プログラムであって、
上記記憶手段に記憶されている予約日記情報のうち、過去分となった予約日記情報を上記データベースにアップロードするように上記通信手段を制御すると共に、該アップロードした上記過去分の予約日記情報を上記記憶手段から消去する制御手段としてコンピュータを機能させることを特徴とする日記作成プログラム。
【発明の詳細な説明】
【技術分野】
【０００１】
本発明は、例えば携帯電話機，ＰＨＳ電話機（PHS：Personal Handyphone System），通信機能を有するＰＤＡ装置（PDA：Personal Digital Assistant）等に適用して好適な携帯端末装置及び日記作成プログラムに関する。
【背景技術】
【０００２】
従来、特開２００１−３３１６３９号の公開特許公報において、インターネットを利用して日記を自動的に作成する日記自動作成システムが提案されている。
【０００３】
この日記自動作成システムを利用する場合、ユーザは、自分のパーソナルコンピュータ装置を操作して、インターネット上のユーザデータベースに、自己の居住地域，趣味，嗜好，スケジュール等の属性を予め登録しておく。
【０００４】
日記作成プログラムは、このユーザデータベースに登録されたユーザの居住地域，趣味，嗜好，スケジュール等の属性に基づいて天気情報データベース及び時事情報データベースを参照し、この天気情報データベース及び時事情報データベースから、上記ユーザの属性に対応するデータを検出する。そして、検出したこれらのデータを挿入した日記を作成する。これにより、ユーザの趣味や嗜好等に応じた日記の基本的な部分が自動的に作成されることとなる。
【０００５】
ユーザは、パーソナルコンピュータ装置を操作して上記日記作成プログラムにアクセスすることで、このように自動的に作成された日記をいつでも閲覧可能となっており、また、加筆修正することも可能となっている。
【０００６】
【特許文献１】特開２００１−３３１６３９号（第２頁：図１）
【発明の開示】
【発明が解決しようとする課題】
【０００７】
しかし、この特開２００１−３３１６３９号に代表される従来の日記自動作成システムは、予定を自動的に日記に挿入だけのため、ユーザが意図しない文章が挿入されたり、無理矢理限られた文字数とされた文章が挿入されることがあり、後の編集が困難となる問題があった。
【０００８】
また、従来の日記自動作成システムは、パーソナルコンピュータ装置を操作して日記を作成することを前提としたシステムとなっているため、例えば外出中等のように、ユーザがパーソナルコンピュータ装置を操作できる環境に無い場合、日記を作成することができない問題があった。この問題は、出張や外出が多いユーザの場合、特に顕著となる。
【０００９】
本発明は、上述の課題に鑑みてなされたものであり、ユーザが意図する文章を用いて自動的に日記を作成することができ、また、出張先や外出先からでも簡単に日記を作成することができるような携帯端末装置及び日記作成プログラムの提供を目的とする。
【課題を解決するための手段】
【００１０】
本発明は、予約日記形成手段により、少なくとも日付情報及びスケジュール情報が記憶されたスケジュール帳から、ユーザにより操作手段を介して未来の日付が選択されたうえで予約日記の作成指示がなされた際に、予約日記用画面を上記表示手段に表示すると共に、ユーザにより上記操作手段を介して指定された上記予約日記用画面上の位置に、ユーザにより上記操作手段を介して指定された情報量分の上記スケジュール情報を表示して予約日記を形成する。
【００１１】
記憶手段は、この予約日記形成手段により形成された予約日記に関する情報のうち、少なくとも、上記ユーザにより選択された未来の日付を示す日付情報、上記予約日記用画面上におけるスケジュール情報の表示位置を示す表示位置情報、及び該表示位置に表示するスケジュール情報を上記スケジュール帳から読み出すためのリンク情報を予約日記情報として記憶する。
【００１２】
そして、上記操作手段を介してユーザにより当日日記の作成指示がなされた際に、当日日記形成手段が、上記記憶手段に記憶されている予約日記情報の日付情報に基づいて、当日日記の日付と同じ日付の上記表示位置情報及び上記リンク情報を読み出し、このリンク情報に基づいて、上記スケジュール帳からスケジュール情報を読み出すと共に、上記表示位置情報で示される表示位置に、上記読み出したスケジュール情報を表示した当日日記用画面を上記表示手段に表示して当日日記を形成する。この当日日記は、通信手段が、所定のネットワーク上のデータベースにアップロードする。
【００１３】
また、本発明は、制御手段が、上記記憶手段に記憶されている予約日記情報のうち、過去分となった予約日記情報を上記データベースにアップロードするように上記通信手段を制御すると共に、該アップロードした上記過去分の予約日記情報を上記記憶手段から消去する。
【発明の効果】
【００１４】
本発明は、予約日記作成の段階でユーザにより挿入することが予約されたスケジュール情報を、当日日記作成の段階で、該当日日記に挿入することができる。このため、ユーザが希望するスケジュール情報が挿入された当日日記を自動的に作成することができる。
【００１５】
また、予約日記作成の段階でスケジュール情報を保持すると、スケジュール帳と予約日記とで、同じスケジュール情報を２重に保持する不都合を生ずるのであるが、本発明は、予約日記作成の段階でユーザにより挿入することが予約されたスケジュール情報は、該スケジュールを上記スケジュール帳から読み出すためのリンク情報として保持するようになっている。このため、上記同じスケジュール情報を２重に保持することで、記憶手段の記憶領域が圧迫される不都合を防止することができる。
【００１６】
また、本発明を、例えば携帯電話機，ＰＨＳ電話機（PHS：Personal Handyphone System），通信機能を有するＰＤＡ装置（PDA：Personal Digital Assistant）等の携帯端末装置に適用することで、外出先や出張先等で、所望のスケジュール情報を選択して予約日記を作成しておくだけで、この予約日記の内容を当日日記に反映させることができる。このため、出張先や外出先からでも簡単に日記を作成可能とすることができる。
【００１７】
また、本発明は、制御手段が、過去分となった予約日記情報をネットワーク上のデータベースにアップロードし、このアップロードした上記過去分の予約日記情報を上記記憶手段から消去する。これにより、過去分の予約日記情報をネットワーク上のデータベースに保存し直すかたちで記憶手段から消去することができる。従って、過去分の予約日記情報の増加により、記憶手段の記憶領域が圧迫される不都合を防止することができる。
【発明を実施するための最良の形態】
【００１８】
本発明は、インターネット等の所定のネットワーク上に設けられたデータベースにアップロードする日記を作成する携帯電話機に適用することができる。
【００１９】
［システム構成］
図１は、この本発明の実施の形態となる携帯電話機で日記の作成を可能とすると共に、該作成されアップロードされた日記の保存を可能とする日記作成機能を有する情報処理システムのブロック図である。
【００２０】
この情報処理システムは、ユーザが日常取り扱う情報を、様々な情報処理間でシームレスに取り扱い可能となっている（一つの情報を複数の情報処理間で共用可能となっている。）。このため、ネットワーク上のデータベースにユーザが保存したスケジュールや画像等を、携帯電話機で作成する日記に援用可能となっている。
【００２１】
具体的には、この情報処理システムは、複数のサーバ装置で構成されるサーバシステム１と、モバイル機器を用いた通信を可能とする通信システム２と、ユーザの家屋内に設けられた家庭内ネットワークシステム３とを、インターネット４等のネットワークを介して相互に接続することで構成されている。
【００２２】
［サーバシステム］
この情報処理システムの場合、「機器」，「情報」及び「コミュニケーション（通信）」を、ユーザが日常生活をおくるうえで接する対象として考え、上記サーバシステム１を、家庭内ネットワークシステム３の各機器を制御するコントロールサーバ装置５と、例えば各ユーザのアドレス帳やスケジュール帳等の情報管理を行うデコレーションサーバ装置６と、上記各システム１〜３の通信管理を行うコミュニケーションサーバ装置７とで構成している。このように、各対象毎に設けられた各サーバ装置５〜７を設けることで、サーバシステムに掛かる負荷を分散することができる。
【００２３】
なお、この例では、サーバシステム１を、物理的に分割された３つのサーバ装置５〜７で構成したが、これは、一つのサーバ装置を設け、この一つのサーバ装置で上記機器，情報，コミュニケーションをそれぞれ管理するようにしてもよい。
【００２４】
また、４つ以上のサーバ装置を設け、各サーバ装置で上記機器，情報，コミュニケーションをそれぞれ分担するようにしてもよい。この場合、サーバシステム１に掛かる負荷が、多くのサーバ装置に分散されるため、各サーバ装置に掛かる負荷を、より軽減することができる。
【００２５】
〔コントロールサーバ装置〕
コントロールサーバ装置５には、各ユーザが所有する例えばテレビジョン受像機，ビデオテープレコーダ装置，エアコンディショナ装置，パーソナルコンピュータ装置等の、ユーザの家庭に設置されている機器を示す情報と、各機器を遠隔操作するためのコマンド情報等が記憶されている。
【００２６】
このコントロールサーバ装置５は、例えばユーザから携帯電話機等のモバイル機器を用いて遠隔操作情報が送信されると、この送信された遠隔操作情報に基づいて指定された機器を遠隔操作制御する。
【００２７】
なお、この例では、コントロールサーバ装置５をサーバシステム１側に設け、各ユーザの機器を一括して遠隔操作制御するようにしているが、コントロールサーバ装置５を上記家庭内ネットワークシステム３側に設けるようにしてもよい。この場合、コントロールサーバ装置５は、そのユーザ専用のサーバ装置として動作することとなる。
【００２８】
〔デコレーションサーバ装置〕
デコレーションサーバ装置６は、各ユーザの個人所有データを記憶するデータベース８（ＤＢ）を有している。
【００２９】
具体的には、各ユーザは、個人的に所有するデータである、例えば「スクラップブック」，「スケジュール帳」，「日記帳」，「電話帳」及び「アドレス帳」等の個人所有データを、例えばパーソナルコンピュータ装置やモバイル機器（携帯電話機等）等のクライアント端末を介してアップロードするようになっている。デコレーションサーバ装置６は、このアップロードされたデータを、各ユーザ毎にデータベース８に記憶する。
【００３０】
上記スクラップブックには、例えばユーザにより入力されたメモ書きや文章等の「任意の文字列」、所定のサイトからダウンロードされた電子番組表の「番組データ（タイトル，チャンネル，放送日時，出演者等）」、ＪＰＥＧフォーマット（Joint Photographic Expert Group），ＧＩＦフォーマット（Graphics Interchange Format）等の静止画像データ及びそのタイトルのデータや、ＭＰＥＧフォーマット（Moving Picture Experts Group）等の動画像データ及びそのタイトルのデータ（以下、これら静止画像データ及び動画像データをまとめて「イメージデータ」という。）等の、ユーザが所望する様々なデータが書き込まれるようになっている。
【００３１】
上記スケジュール帳には、例えば待ち合わせや打ち合わせ等の各スケジュールのタイトル、各スケジュールの日時、及び各スケジュールの内容（詳細）等が書き込まれるようになっている。
【００３２】
上記日記帳には、その日、ユーザに起こった出来事等の文章や所望の画像（シール，アイコン，所望の静止画像等）が記録されるようになっている。後に説明するが、上記スケジュール帳のスケジュールデータは、この日記帳のデータとしてリンクさせることが可能となっており、スケジュール帳から所望の日付と所望の文章（スケジュールの内容）等を選択して「予約日記」に記録すると、「当日日記」を編集する際に、予め「予約日記」に記録しておいた所望の文章等が該当日日記に対して自動的に挿入されるようになっている。
【００３３】
上記電話帳及びアドレス帳には、各ユーザの知人，友人，会社等の電話番号及び電子メールアドレスがそれぞれ書き込まれるようになっている。
【００３４】
〔コミュニケーションサーバ装置〕
コミュニケーションサーバ装置７は、例えば天候情報，電車やバスの時刻表，星座占い，株価情報，位置情報等の「ニュース（＝インターネット上の情報）」をインターネット上の所定のサイトから取得し、これらをデータベース１８に記憶する。そして、これらの情報を、インターネット４を介して各ユーザのパーソナルコンピュータ装置に提供し、また、モバイルサーバ装置１１を介して携帯電話機等のモバイル機器に提供する。
【００３５】
なお、上記コミュニケーションサーバ装置７上、或いは上記モバイルサーバ装置１１上に、例えば電子掲示板（ＢＢＳ：Bulletin Board System）等のフリースペースを設け、ここに、ユーザから公開が許可されたデータ（共有データ）や、所定のサイトから取得した上記ニュース等をアップロードするようにしてもよい。
【００３６】
所定のグループでフリースペースを利用したい場合には、グループ登録を行ってグループＩＤの発行を受け、そのグループに対して貸与されたサーバ装置７上の共有スペースをグループ内のユーザで使用することとなる。
【００３７】
［情報の表記形態］
上記個人所有データ及び各情報は、一例としてＸＭＬフォーマット（XML:eXtensible Markup Language）に基づいて表記されるようになっている。このＸＭＬフォーマットは、独自にタグを定義することができるため、単なる文書を「データ」として処理することを可能とすることができる。
【００３８】
例えば、このＸＭＬフォーマットを用いると、「＜日時＞」等のように人間が理解しやすい構造で内容を表記することができ、また、「スキーマ（XML Schema等）」を用いることで＜日時＞のタグに記述された「数字」を、所定のアプリケーションの「日時を表わす数値データ」として用いることが可能となる。
【００３９】
このため、上記個人所有データ及び各情報は、
メモ書き      ＜メモ／＞
スケジュール  ＜タイトル／＞  ＜日時／＞  ＜内容／＞
番組データ    ＜タイトル／＞  ＜日時／＞  ＜チャンネル／＞
イメージ      ＜タイトル／＞  バイナリーデータ（ＸＭＬ表記の場合には、ＭＩＭＥ（Multipurpose Internet Mail Extensions）に変換される。）
等のように表記されている。
【００４０】
個人所有データの場合、各ユーザが、以下に説明する携帯電話機等のモバイル機器や自宅のパーソナルコンピュータ装置等を用いて、上記データベース８に対してアップロードするようになっている。そして、このアップロードされた個人所有データは、前述のようにＸＭＬ表記されていることから、例えばスケジュール帳のスケジュールデータやスクラップブックのイメージデータを予約日記や当日日記のデータに援用する等のように、各情報処理間（異なるシステム間）においてシームレスに取り扱い可能となっている。
【００４１】
［通信システム］
この情報処理システムの場合、モバイル機器（携帯端末装置）の一例として携帯電話機９を用いている。このため、図１には、通信システム２として、携帯電話会社の簡略的なシステム構成が図示されている。
【００４２】
具体的には、この通信システム２は、携帯電話機９の無線通信を中継する基地局１０と、上記サーバシステム１及び家庭内ネットワークシステム３に対する通信制御を行うモバイルサーバ装置１１とを、通信ネットワーク１２を介して相互に接続することで構成されている。
【００４３】
上記サーバシステム１の各サーバ装置５〜７に対しては、携帯電話機９の他、パーソナルコンピュータ装置やＰＤＡ装置等の他の機器からの情報もアップロード可能となっている。ただ、パーソナルコンピュータ装置等の情報処理能力の高い機器からアップロードされた情報は、情報量が大きい場合が多い。上記モバイルサーバ装置１１は、情報量変換機能を有しており、情報量が大きい場合、携帯電話機９で処理可能な情報量に変換し、該携帯電話機９に送信する。
【００４４】
なお、この例では、モバイル機器として携帯電話機９を用いることとして説明を進めるが、例えばＰＨＳ電話機（PHS：Personal Handyphone System），通信機能を有するＰＤＡ装置（PDA：Personal Digital Assistants）、或いは通信機能を備えた携帯型（ノート型等）のパーソナルコンピュータ装置等の他のモバイル機器を用いるようにしてもよい。
【００４５】
［家庭内ネットワークシステム］
家庭内ネットワークシステム３は、例えばユニバーサル・プラグ・アンド・プレイ（UPnP：Universal Plug and Play）、ジニー（Jini）、ハビ（HAVi）等のミドルウェアを用いて構築されており、例えばユーザ宅に設置されたパーソナルコンピュータ装置１３（ＰＣ），エアコンディショナ装置１４（ＡＣ），テレビジョン受像機１５（ＴＶ）、及びビデオテープレコーダ装置１６（ＶＴＲ）等の遠隔操作の対象となる機器（被遠隔操作機器）を家庭内ネットワーク１７に接続することで構成されている。
【００４６】
上記サーバシステム１のコントロールサーバ装置５は、携帯電話機９の遠隔操作に基づいて、インターネット４及び家庭内ネットワーク１７を介して上記各被遠隔操作機器の動作を制御するようになっている。
【００４７】
［携帯電話機］
携帯電話機９は、例えばＷ−ＣＤＭＡ方式（Wideband-Code Division Multiple Access）に基づいて通信を行うようになっており、図２に示す構成を有している。
【００４８】
この図２において、上記通信システム２の基地局１０から送信された無線周波信号は、当該携帯電話機９のアンテナ４１で受信された後、アンテナ共用器４２（ＤＵＰ）を介して受信回路４３（ＲＸ）に供給される。
【００４９】
受信回路４３は、周波数シンセサイザ４４（ＳＹＮ）から供給された受信局部発振信号と、上記アンテナ４１で受信された上記無線周波信号をミキシング処理し、該無線周波信号を中間周波信号に周波数変換してＣＤＭＡ信号処理部４６に供給する。
【００５０】
なお、周波数シンセサイザ４４から出力される上記受信局部発振信号の周波数は、制御部５２からの制御信号ＳＹＣによって制御される。
【００５１】
ＣＤＭＡ信号処理部４６は、上記受信中間周波信号に直交復調処理を施すと共に、受信チャネルに割り当てられた拡散符号（ＰＮ符号）を用いて逆拡散処理を施すことで、該受信中間周波信号を、データレートに応じた所定のフォーマットの受信データに変換して符号処理部４７に供給する。なお、ＣＤＭＡ信号処理部４６は、上記受信データのデータレートを示す情報を、受信データレートとして制御部５２に供給する。
【００５２】
符号処理部４７は、上記ＣＤＭＡ信号処理部４６から供給された受信データに対して、制御部５２から通知される受信データレートに応じた伸長処理を施した後、ビタビ復号等を用いた復号処理と誤り訂正復号処理を行って、ベースバンドの受信データを再生する。
【００５３】
ＰＣＭ符号処理部４８は、制御部５２から供給された通信の種別（音声通信、データ通信）に応じて異なる信号処理を行う。
【００５４】
具体的には、音声通信時には、符号処理部４７から供給された受信データをＰＣＭ復号処理してアナログ受話信号を出力する。このアナログ受話信号は、受話増幅器４９にて増幅された後スピーカ部５０を介して発音される。
【００５５】
またデータ通信時には、符号処理部４７から供給された受信データを制御部５２に供給する。制御部５２は、上記受信データをメモリ５３に格納する。また必要に応じて、上記受信データを図示しない外部インタフェースを介してＰＤＡ装置（PDA:Personal Digital Assistance）やノート型パーソナル・コンピュータへ出力する。
【００５６】
次に、音声通信時における話者の送話音声は、マイクロホン部５１で集音され、送話増幅器５４で適正レベルまで増幅される。そして、ＰＣＭ符号処理部４８でＰＣＭ符号化処理が施された後、送信データとして符号処理部４７に供給される。
【００５７】
また、ＰＤＡ装置やノート型パーソナル・コンピュータから出力されたデータ、或いはデジタルカメラ装置から供給された画像データは、外部インタフェースを介して制御部５２に供給され、制御部５２からＰＣＭ符号処理部４８を介して符号処理部４７に供給される。
【００５８】
さらに、電子メール（携帯メール），スクラップブック，スケジュール帳、予約日記及び当日日記のデータ等も制御部５２に供給され、この制御部５２からＰＣＭ符号処理部４８を介して符号処理部４７に供給される。
【００５９】
符号処理部４７は、音声通信時には、ＰＣＭ符号処理部４８から供給された送信データに基づいて、入力音声のエネルギー量を検出し、この検出結果に基づいてデータレートを決定する。そして、上記送信データを上記データレートに応じたフォーマットのバースト信号に圧縮し、さらに誤り訂正符号化処理を施したのちＣＤＭＡ信号処理部４６に供給する。
【００６０】
また、符号処理部４７は、データ通信時においては、ＰＣＭ符号処理部４８から供給された上記送信データを、予め設定されたデータレートに応じたフォーマットのバースト信号に圧縮し、さらに誤り訂正符号化処理を施してＣＤＭＡ信号処理部４６に供給する。なお、音声通信時及びデータ通信時のいずれのデータレートも、送信データレートとして制御部５２に通知される。
【００６１】
ＣＤＭＡ信号処理部４６は、上記符号処理部４７で圧縮されたバースト信号に対して、送信チャネルに割り当てられたＰＮ符号を用いて拡散処理を施す。そしてこの拡散符号化された送信信号に対して直交変調処理を行い、この直交変調信号を送信回路４５（ＴＸ）に供給する。
【００６２】
送信回路４５は、上記直交変調信号を周波数シンセサイザ４４から供給された送信局部発振信号とミキシング処理して無線周波信号に変換する。そして、送信回路４５は、制御部５２から通知された送信データレートに基づいて、上記無線周波信号の有効部分だけを高周波増幅し、送信無線周波信号として出力する。この送信回路４５から出力された送信無線周波信号は、アンテナ共用器４２を介してアンテナ４１に供給され、このアンテナ４１から上記通信システム２の基地局１０へ向けてバースト送信される。
【００６３】
操作部５５には、図１に示す回転操作を行うジョグダイヤル２１（回転操作キー）、それぞれ押圧操作を行う右ソフトキー２３Ｒ，左ソフトキー２３Ｌの他、テンキー、発信キー、オフフックキー、オンフックキー等の各操作キーが設けられている。
【００６４】
また、後に説明するが、制御部９は、タイマ５６からの計時情報に基づいて現在時刻を監視しており、現在時刻を表示部５５に表示制御すると共に、予約日記に関する情報のうち、過去分となった予約日記の情報を、上記通信システム２を介して上記デコレーションサーバ装置６のデータベース８にアップロードするようになっている。
【００６５】
［システム動作］
この情報処理システムを利用する場合、最初に通信システム２のモバイルサーバ装置１１に対して「ユーザ登録」を行うことでユーザ識別情報（ユーザＩＤ）及び所定のパスワードの発行を受け、当該情報処理システムの上記遠隔操作，電話帳，スクラップブック等の各アプリケーションプログラムをダウンロードして携帯電話機９側で実行する。
【００６６】
［ユーザ登録］
まず、ユーザが、携帯電話機９を操作してモバイルサーバ装置１１にアクセスすると、モバイルサーバ装置１１から携帯電話機９に対してユーザＩＤ及びパスワードの入力画面と共に、ユーザ登録を指定する画面の情報が送信される。
【００６７】
ユーザによりユーザ登録が指定されると、モバイルサーバ装置１１は、ユーザ登録に必要となる所定事項の入力画面をユーザの携帯電話機９に送信する。
【００６８】
ユーザは、この入力画面に対して所定事項を入力し、モバイルサーバ装置１１に返信する。モバイルサーバ装置１１は、ユーザから返信された入力事項をチェックし、該入力事項に対して不備が無い場合に、そのユーザに対してユーザＩＤ及び所定のパスワードを発行する。これにより、ユーザ登録が終了する。
【００６９】
モバイルサーバ装置１１は、このユーザＩＤ及びパスワードを、携帯端末番号及び上記上記入力事項と共にデータベース３１（ＤＢ）に登録しておき、次回、そのユーザが当該システムへのログインを希望した場合に参照する。
【００７０】
なお、この例では、携帯電話機９等のモバイル機器に対応して、モバイルサーバ装置１１が、ユーザＩＤ及びパスワードを発行して管理することとしたが、パーソナルコンピュータ装置等の他の端末装置を用いてユーザ登録が行われる場合には、例えばコミュニケーションサーバ装置７等でユーザＩＤ及びパスワードを発行して管理するようにしてもよい。
【００７１】
［初期設定］
次にこのようにユーザ登録が正常に終了すると、モバイルサーバ装置１１は、このユーザ登録に続けて、ユーザが使用する背景及びエージェント等を選択する初期設定モードに移行する。この初期設定モードとなると、モバイルサーバ装置１１は、「背景の選択画面」及び「エージェントの選択画面」を順次送信する。
【００７２】
各選択画面には、複数の選択肢が設けられており、ユーザは携帯電話機９を操作して、この複数の選択肢の中から所望の背景及び使用するエージェントを選択する。この選択がなされると、携帯電話機９からモバイルサーバ装置１１に対して、上記ユーザが選択した背景及びエージェントを示す情報が送信される。
【００７３】
モバイルサーバ装置１１は、このユーザの携帯電話機９から送信された背景等の各情報を、上記ユーザＩＤ及びパスワードに関連付けてデータベース３１に登録する。これにより、初期設定が完了し、当該携帯電話機９側において、上記「スケジュール帳」，「予約日記」及び「当日日記」等の各アプリケーションプログラムの実行が可能となる。
【００７４】
［アプリケーションプログラムのダウンロード］
まず、ユーザが操作部５５を操作することで所望のアプリケーションプログラムの実行を指定すると、制御部５２は、モバイルサーバ装置１１に対して、スケジュール帳のアプリケーションプログラムのダウンロード要求を行う。
【００７５】
モバイルサーバ装置１１は、このダウンロード要求がなれると、その携帯電話機９に対してユーザＩＤ及びパスワードの入力画面を返信する。携帯電話機９の制御部５２は、ユーザＩＤ及びパスワードの入力画面を表示部２０に対して表示制御し、ユーザによりユーザＩＤ及びパスワードの入力が行われると、これらをモバイルサーバ装置１１に送信する。
【００７６】
モバイルサーバ装置１１は、携帯電話機９から送信されたユーザＩＤ及びパスワード等と、データベース３１に登録されているユーザＩＤ及びパスワード等とを照合処理することでユーザ認証を行い、ユーザの特定を行うことができた際に、ユーザから指定されたアプリケーションプログラムを、このユーザの携帯電話機９に送信する。携帯電話機９の制御部５２は、この送信されたアプリケーションプログラムをメモリ５３に記憶制御する。
【００７７】
［初回起動時の制限］
ここで、このようにアプリケーションプログラムのダウンロードが完了すると、該アプリケーションプログラムの実行が可能となるのであるが、当該システムで用いられる各アプリケーションプログラムは、初回起動時のみ、ユーザが手動で起動することはできず、モバイルサーバ装置１１から送信された起動用の携帯メールを携帯電話機側で受信して、はじめて起動するようになっている。
【００７８】
このため、モバイルサーバ装置１１は、アプリケーションプログラムの送信が完了すると、ヘッダ情報にアプリケーションプログラムの起動を指示する情報（起動情報）を付加した携帯メールを形成すると共に、この携帯メールの添付ファイルとして、上記データベース３１から読み出したそのユーザにより選択された背景のＩＤ、エージェントのＩＤ、及びアイテムのＩＤ等を添付し、これをそのユーザの携帯メールアドレスに送信する。
【００７９】
携帯電話機９の制御部５２は、携帯メールを受信すると、ヘッダ情報を検索し、このヘッダ情報に上記起動情報が付加されていた場合、上記メモリ５３に記憶されているアプリケーションを起動制御する。
【００８０】
制御部５２は、この起動したアプリケーションプログラムに基づいて動作することで、上記アプリケーションプログラムの起動を指示する情報が付加されていた携帯メールの添付ファイルから、上記背景のＩＤ、エージェントのＩＤ、及びアイテムのＩＤを検索し、これをモバイルサーバ装置１１に送信制御する。モバイルサーバ装置１１は、この各ＩＤを受信すると、該各ＩＤに対応する背景画像、エージェントの画像、及び各アイテムの画像をユーザの携帯電話機９に返信する。
【００８１】
携帯電話機９の制御部５２は、これら各画像を受信すると、上記アプリケーションプログラムに基づいて該各画像を表示部２０に表示制御する。これにより、上記初期設定時にユーザが予め選択した背景、エージェント、及びアイテムの各画像が表示部２０に表示制御されることとなる。
【００８２】
なお、制御部５２は、アプリケーションプログラムの初回起動時にモバイルサーバ装置１１から送信された背景のＩＤ、エージェントのＩＤ、及びアイテムのＩＤは、メモリ５３に記憶しておき、次回、所定の起動操作がなされた際にアプリケーションを起動制御し、或いは携帯メールのヘッダ情報から上記起動情報を検出した際に自動的にアプリケーションを起動制御し、上記メモリ５３に記憶されている各ＩＤをモバイルサーバ装置１１に送信する。そして、これによりモバイルサーバ装置１１から返信される上記各ＩＤに対応する各画像を取り込み、表示部２０に表示制御する。
【００８３】
背景画像やエージェントの画像等の画像情報はデータ量が大きいため、該背景画像やエージェントの画像等をメモリ５３に記憶すると、メモリ５３の記憶容量を圧迫してしまうのであるが、この情報処理システムの場合、各画像に対応するＩＤを記憶し、実際の画像はモバイルサーバ装置１１からダウンロードするようにしているため、メモリ５３の記憶容量を圧迫する不都合を防止することができる。
【００８４】
［表示画面の具体例］
図３に、このようにして表示された表示画面の一例を示す。この図３は、背景画像として、切り株状のステージの背景画像が、ユーザにより選択された例を示している。また、この図３は、エージェントの画像として、妖精型のエージェントＥＧが選択され、アイテムとして、スケジュール帳のアイテム３１、当日日記のアイテム３２（当日日記の直接的な編集作業を指定するアイテム）、日記帳のアイテム３３、シール箱のアイテム３４（シール：日記帳に貼り付けるマーク等の画像）、及び各アプリケーション間のデータ転送を指定するアイテムであるトランスポータのアイテム３５が表示されている例を示している。
【００８５】
制御部５２は、ジョグダイヤル２１の回転操作に対応して、各アイテムに対してカーソルＣＲを移動表示制御し、ジョグダイヤル２１が押圧操作された際に、上記カーソルＣＲで選択されているアイテムのアプリケーションを起動制御する。すなわち、ユーザは、ジョグダイヤル２１を回転操作して所望のアイテムにカーソルＣＲを移動操作し、ジョグダイヤル２１を押圧操作して、所望のアプリケーションの起動を指定するようになっている。
【００８６】
［スケジュール帳］
このような表示画面において、スケジュール帳を閲覧或いは編集する場合、ユーザは、携帯電話機９のジョグダイヤル２１を回転操作して上記表示画面上のカーソルＣＲをスケジュール帳のアイテム３１に移動操作し、該ジョグダイヤル２１を押圧操作する。この押圧操作を検出すると制御部５２は、エージェントＥＧをスケジュール帳のアイテム３１の表示位置近辺まで歩いていくアニメーション表示を行うと共に、スケジュール帳のアイテム３１を高輝度で表示する。これにより、ユーザに対してスケジュール帳が選択されたことを認識させることができる。
【００８７】
また、制御部５２は、このようなアニメーション表示と共に、スケジュール帳のアイテム３１のアプリケーションプログラムを起動し、このアプリケーションプログラムに基づいて、モバイルサーバ装置１１に対して、そのユーザのスケジュール帳のスケジュールデータのダウンロード要求を行う。
【００８８】
このダウンロード要求がなされると、モバイルサーバ装置１１は、ユーザの携帯電話機９に対してユーザＩＤ及びパスワードの入力画面を送信する。そして、ユーザの携帯電話機９からユーザＩＤ及びパスワードが返信されると、ユーザ認証後に、デコレーションサーバ装置６と通信を行い、このデコレーションサーバ装置６のデータベース８に保存されている、そのユーザのスケジュールデータの取り込みを行う。そして、このスケジュールデータをユーザの携帯電話機９に送信する。携帯電話機９の制御部５２は、上記起動したスケジュール帳のアイテム３１のアプリケーションプログラムに基づいて、この受信したスケジュールデータをメモリ５３に一旦記憶制御すると共に、初期画面として以下に説明するカレンダーを表示部２０に表示制御する。
【００８９】
図４（ａ）に、このスケジュール帳の初期画面を示す。この図４（ａ）に示すように、制御部５２は、スケジュール帳を表示する場合、初期画面として、このスケジュール帳の表示が指定された日が属する月のカレンダーを表示部２０に表示する。この図４（ａ）は、「２００３年５月」のカレンダーの例である。
【００９０】
制御部５２は、このカレンダーを表示する場合、該当日よりも過去の日付は半輝度で表示し（半透明表示や表示色を変えて表示してもよい。）、該当日及び該当日以降の未来の日付は全輝度で表示する。例えば、このカレンダーにおいて、５月２０日が当日であるとすると、制御部５２は、５月１日〜５月１９日までの日付を半輝度で表示し、５月２０日〜５月３１日までの日付を全輝度で表示する。
【００９１】
また、制御部５２は、スケジュールデータが登録されている日付に対して、その登録されているスケジュール件数に応じた所定の色、かつ、正四角形の画像を貼り付けて表示する。具体的には、このカレンダーの場合、５月２０日の日付に対して３件のスケジュールが、５月２５日，３０日，３１日の日付に対してそれぞれ１件のスケジュールが登録されている例を示している。５月２０日には、３件のスケジュールが登録されているため、制御部５２は、３枚の正四角形の画像を重ね合わせ、該各画像を対角線に沿って少しずらし、最上部に位置する画像上に日付を表示することで、５月２０日に３件のスケジュールが登録されたことを表示する。また、制御部５２は、２枚以上の上記正四角形の画像を表示する際、最上部に位置する画像から最下部に位置する画像にかけて徐々に高い透明度で表示する。これにより、最下部の画像から最上部の画像にかけて、徐々に色が濃くなるかたちで各画像が表示されることとなる。
【００９２】
なお、制御部５２は、１件のスケジュールが登録されている場合は、上記正四角形の画像を１枚、その日付に貼り付けて表示し、２件のスケジュールが登録されている場合は、前述のように少しずらして重ね合わせた２枚の上記正四角形の画像を、その日付に貼り付けて表示し、３件以上のスケジュールが登録されている場合は、前述のように少しずらして重ね合わせた３枚の上記正四角形の画像を、その日付に貼り付けて表示する（＝３件以上のスケジュールが登録されている場合でも、上記正四角形の画像は３枚で表示される。）。
【００９３】
次に、スケジュールの登録或いは編集を行う場合、ユーザは、ジョグダイヤル２１を回転操作して上記カレンダー上のカーソルＣＲを、当日或いは未来の日付に移動操作し、該ジョグダイヤル２１を押圧操作する。この押圧操作を検出すると制御部５２は、上記カーソルの移動操作で選択された日付に対応するスケジュールの「タイトル」及び「詳細（内容）」のうち、「タイトル」を上記メモリ５３から読み出して表示部２０に表示制御する。
【００９４】
図４（ｂ）に、このスケジュールの「タイトル」の表示画面の一例を示す。この図４（ｂ）に示す表示画面は、２００３年５月３１日（土曜日：ＳＡＴ）のスケジュールの「タイトル」の表示画面の一例を示しているのであるが、この日には、３件のスケジュールが登録されており、１９：００〜２１：００が「コンサートに行く」とのタイトルのスケジュールが登録され、２１：００〜２１：５４が「４ｃｈ（チャンネル）連続ドラマ」とのタイトルのスケジュールが登録され、２１：００〜２１：５４が「誕生日ディナー」とのタイトルのスケジュールが登録されている。
【００９５】
ユーザは、このスケジュールの「タイトル」の表示画面を見ることで、５月３１日のスケジュールを確認する。そして、追記や削除等の編集を行う場合、ジョグダイヤル２１を回転操作して上記表示画面上のカーソルＣＲを、編集を行うタイトル上に移動操作し、該ジョグダイヤル２１を押圧操作する。この押圧操作を検出すると制御部５２は、図４（ｃ）に示すように、「編集」，「コピー」，「削除」等の編集メニューを表示部２０に表示制御する。ユーザにより、ジョグダイヤル２１が回転操作され、上記表示画面上のカーソルＣＲが「編集」の文字の表示位置に移動操作され、該ジョグダイヤル２１が押圧操作されると、制御部５２は、図４（ｂ）の「タイトル」の表示画面で選択されたスケジュールに対応する「詳細（内容）」をメモリ５３から読み出し、これを表示部２０に表示制御する。
【００９６】
図４（ｄ）は、このスケジュールの「詳細（内容）」の表示画面の一例である。この図４（ｄ）からわかるように、「詳細（内容）」の表示画面としては、時刻の入力領域（１９：００〜２１：００）、タイトルの入力領域（コンサートに行く）、詳細の入力領域、アラームのオンオフ設定の入力領域（ＯＮ）、及びアラームを鳴らす時刻の入力領域（１０分前）が表示される。ユーザは、ジョグダイヤル２１を回転操作して上記表示画面上のカーソルＣＲを、編集を行う入力領域上に移動操作し、該ジョグダイヤル２１を押圧操作する。
【００９７】
この押圧操作を検出すると制御部５２は、カーソルＣＲにより選択された入力領域の入力画面を表示部２０に表示し、ユーザにより入力された詳細のデータ（内容のデータ）を、そのスケジュールに対応させてメモリ５３に記憶制御する。そして、ユーザによりスケジュール帳のアプリケーションプログラムの終了が指定された際に、このメモリに記憶したスケジュールデータをモバイルサーバ装置１１に送信する。モバイルサーバ装置１１は、このスケジュールデータをデコレーションサーバ装置６に送信する。これにより、デコレーションサーバ装置６のデータベース８のスケジュール帳に、ユーザにより編集された内容のスケジュールが登録されることとなる。
【００９８】
なお、制御部５２は、上記スケジュールデータの送信が完了すると、メモリ５３に記憶されていたスケジュールデータを削除する。これにより、スケジュールデータによりメモリ５３の記憶領域が圧迫される不都合を防止することができ、メモリ５３の記憶領域を他のタスクで有効に利用可能とすることができる。
【００９９】
［予約日記］
ここで、制御部５２は、上記スケジュールの「詳細（内容）」の表示画面を表示制御した際、図４（ｄ）に示すように、該表示画面の右下隅の領域に「予日」の文字を表示制御する。これは、図１に示す右ソフトキー２３Ｒを押圧操作すると、将来的に記録する日記を予め作成する「予約日記」のアプリケーションが起動することを意味している。
【０１００】
ただ、予め作成するとはいえ、将来的に起こり得る事件を正確に予知して未来の日記を記載することは困難である。このため、この情報処理システムの場合、予約日記にスケジュール帳のスケジュールデータを援用することで、将来的に起こり得るであろう事件に略々対応する予約日記を作成するようになっている（＝スケジュール帳と予約日記の各アプリケーション間で、スケジュールデータをシームレスに用いるようになっている。）。
【０１０１】
すなわち、制御部５２は、上記スケジュールの「詳細（内容）」の表示画面を表示制御した際、右ソフトキー２３の押圧操作を検出すると、メモリ５３に記憶されている予約日記のアプリケーションプログラムに基づいて、例えば図５（ａ）に示すような予約日記の編集画面を表示部２０に表示制御する。
【０１０２】
一例ではあるが、制御部５２は、この予約日記の編集画面として、図５（ａ）に示すように夜景を背景とし、表示画面の上部に日記の予約を行う日付とカーソルＣＲを表示部２０に表示制御する。この例の場合、図４（ｂ）〜（ｄ）を用いて説明したように、２００３年５月３１日（土曜日）のスケジュールの編集時に予約日記の指定がなされたため、上記予約日記の編集画面の日付としては、「２００３／０５／３１（ＳＡＴ）」と表示されることとなる。
【０１０３】
なお、この図５（ａ）に示す例では、「誕生日ディナー」との文字と、コーヒーカップのシール（画像）が貼り付けられているが、これは、ユーザが当該編集の前に編集を行ったことを意味している。すなわち、制御部５２は、予約日記の編集画面を表示する際に、予約日記の前の編集時に入力された文字や画像等が存在する場合、これを挿入した予約日記の編集画面を表示するようになっている。
【０１０４】
この予約日記の編集画面が表示されると、ユーザは、スケジュールデータの貼り付け開始位置を設定すべく、図１に示すジョグダイヤル２１の左右に位置するように設けられている右キー２２Ｒ或いは左キー２２Ｌを押圧操作して、図５（ｂ）の矢印で示すようにカーソルＣＲを表示画面上の所望の位置に移動操作する。そして、カーソルＣＲを表示画面上の所望の位置に移動させた際に、ジョグダイヤル２１を押圧操作する。制御部５２は、このジョグダイヤル２１の押圧操作を検出すると、カーソルＣＲの現在位置を、スケジュールデータの貼り付け開始位置としてメモリ５３に記憶制御する。
【０１０５】
次に、このようにスケジュールデータの貼り付け開始位置を決定すると、ユーザは、上記右キー２２Ｒを押圧操作する。この右キー２２Ｒの押圧操作を検出すると、制御部５２は、メモリ５３に記憶されている該当日のスケジュールデータのうち、該右キー２２Ｒの押圧操作量（押圧操作回数）に対応するデータ量分のスケジュールデータを表示画面に貼り付けて表示する。
【０１０６】
さらに詳細には、この例の場合、前述のようにスケジュールとして「タイトル」と「詳細（内容）」を記載可能となっているのであるが、制御部５２は、「タイトル」のみ記載されている場合は、上記右キー２２Ｒの押圧操作回数に応じてカーソルＣＲを延長して表示すると共に、該右キー２２Ｒの押圧操作回数に応じて、この「タイトル」のスケジュールデータを表示画面に貼り付けて表示する。また、制御部５２は、「タイトル」及び「詳細（内容）」が記載されている場合は、このうち「詳細（内容）」のスケジュールデータを優先し、上記右キー２２Ｒの押圧操作回数に応じてカーソルＣＲを延長して表示すると共に、該右キー２２Ｒの押圧操作回数に応じて、この「詳細（内容）」のスケジュールデータを表示画面に貼り付けて表示する。
【０１０７】
図４（ｂ）〜（ｄ）に示す例の場合、スケジュールとして「コンサートに行く」との「タイトル」のみが記載されている例である。このため、制御部５２は、右キー２２Ｒが１回押圧操作される毎に、図５（ｃ），（ｄ）に示すようにカーソルＣＲを延長して表示すると共に、このタイトルのスケジュールデータを１文字ずつ、「コ」，「ン」，「サ」，「ー」，「ト」・・・等のように表示画面に表示制御する。
【０１０８】
なお、制御部５２は、前述のように右キー２２Ｒの押圧操作回数に応じてカーソルＣＲを延長して表示するのであるが、このカーソルＣＲの延長は、スケジュールデータのデータ量分のみ行うようになっている。すなわち、図４（ｂ）〜（ｄ）に示す例の場合、スケジュールデータして「コンサートに行く」との文章が登録されているため、この「コンサートに行く」との全部の文字を表示すると、以後、制御部５２は、右キー２２Ｒの押圧操作は受け付けないようになっている。この場合、制御部５２は、左キー２２Ｌの押圧操作は受け付け、該左キー２２Ｌが１回押圧操作される毎に「く」，「行」，「に」「ト」・・・の順に表示した文字を消去する。
【０１０９】
次に、ユーザは、表示画面に所望のデータ量分のスケジュールデータが表示された際に、ジョグダイヤル２１を押圧操作する。このジョグダイヤル２１の押圧操作を検出すると、制御部５２は、図５（ｅ）に示すように、表示したスケジュールデータの後尾にカーソルＣＲを表示し、ユーザが入力した予約日記を登録する際に行う決定操作待ちの状態となる。
【０１１０】
（シールの貼り付け）
次に、当該予約日記においては、スケジュールに対応した画像等の所望の画像を貼り付け可能となっている。具体的には、制御部５２は、図５（ａ）〜（ｅ）に示すように予約日記の編集画面を表示した際、表示画面の右下の表示領域に「シール」の文字を表示する。これは、右ソフトキー２３Ｒを押圧操作すると、所望の画像の選択及び貼り付けモードに移行することを意味している。
【０１１１】
制御部５２は、予約日記の編集画面を表示した際に右ソフトキー２３Ｒの押圧操作を検出すると、メモリ５３に上記シール箱（図３の符号３４を参照）のシールとして記憶されている複数の画像を表示部２０に表示制御する。図６（ａ）に、このシールの画像の一例を示す。
【０１１２】
ユーザは、このシールの画像が表示されると、ジョグダイヤル２１や右キー２２Ｒ，左キー２２Ｌを操作してカーソルＣＲを移動操作して所望のシールを選択し、ジョグダイヤル２１を押圧操作する。制御部５２は、この押圧操作を検出すると、図６（ｂ）に示すように、ジョグダイヤル２１が押圧操作された際にカーソルＣＲが位置していたシールの画像を予約日記の編集画面の略々中央に表示制御すると共に、該シールの画像の上下左右の位置に矢印の画像を表示する。
【０１１３】
この矢印の画像は、ジョグダイヤル２１を回転操作することで、シールの貼り付け位置を上下に調整することができ、右キー２２Ｒ或いは左キー２２Ｌを押圧操作することで、シールの貼り付け位置を左右に調整することができることを示している。このため、ユーザは、ジョグダイヤル２１，右キー２２Ｒ或いは左キー２２Ｌを操作して、上記選択したシールの画像の貼り付け位置を調整し、該シールの画像が所望の位置となった際にジョグダイヤル２１を押圧操作する。
【０１１４】
制御部５２は、ジョグダイヤル２１，右キー２２Ｒ或いは左キー２２Ｌの操作に応じて、シールの画像を移動表示し、ジョグダイヤル２１の押圧操作を検出すると、該ジョグダイヤル２１が押圧操作されたタイミングでシールの画像が位置していた位置に、該シールの画像を貼り付けて表示する。これにより、所望の画像（シール）を予約日記の所望の位置に貼り付けることができる。例えば図６（ｃ）は、「コンサート」との文字の隣に、音符のシールの画像が貼り付けられた例である。
【０１１５】
（文字の上書き）
次に、先の編集時に入力された文字の表示位置に対して、後の編集で入力する文字の表示位置が重なった場合、先の編集時に入力された文字に対して、後の編集で入力する文字が上書きされるようになっている。
【０１１６】
例えば、図７（ａ）に示すように先の編集時に「誕生日ディナー」との文字が入力されており、この「誕生日ディナー」との文字の２段上あたりに「コンサート」との文字を入力したのであるが、この「コンサート」との文字を消去して、代わりに「誕生日ディナー」との文字の１段上に「コンサートに行く」との文字を入力したい場合、ユーザは、先に入力した「コンサート」との文字を削除操作し、図７（ｂ）に示すようにカーソルＣＲを「誕生日ディナー」との文字の１段上に移動操作して、前述のように右キー２２Ｒを押圧操作する。
【０１１７】
この押圧操作により、制御部５２は、カーソルＣＲを延長表示すると共に、「コンサートに行く」とのスケジュールデータを１文字ずつ表示していくのであるが、この場合、図７（ｃ）に示すように「く」の文字が、先に入力された「誕生日ディナー」との文字のうち「誕」の文字に重なることとなる。この場合、制御部５２は、「誕」の文字に対して「く」の文字を上書きするかたちで表示すると共に、予約日記のデータとして「コンサートに行く生日ディナー」との文章が登録されたものと認識する。
【０１１８】
（リンク情報の保持）
次に、このように予約日記に対してスケジュールデータやシールの貼り付けを行い、予約日記の作成が終了すると、ユーザは、ジョグダイヤル２１を押圧操作する。このジョグダイヤル２１の押圧操作を検出すると、制御部５２は、予約日記に貼り付けられたスケジュールデータの「貼り付け開始位置」及び「貼り付け終了位置」と、貼り付けられたスケジュールデータを読み出すための該スケジュールデータに対する「リンク情報」と、貼り付けられたシールがある場合は、上記シール箱からこの貼り付けられたシールを読み出すための該シールに対する「リンク情報」とを、予約日記の日付に関連付けてメモリ５３に保存する。
【０１１９】
この予約日記作成の段階でスケジュールデータをメモリ５３に保持してしまうと、スケジュール帳と予約日記とで、同じスケジュールデータを２重に保持する不都合を生ずるのであるが、この携帯電話機の場合、予約日記作成の段階でユーザにより貼り付けが予約されたスケジュールデータは、該スケジュールデータを上記スケジュール帳から読み出すためのリンク情報として保持するようになっている。このため、前述のように同じスケジュールデータを２重に保持することで、メモリ５３の記憶領域が圧迫される不都合を防止することができる。
【０１２０】
（過去分に相当する予約日記のデータのアップロード）
次に、予約日記の作成を行うと、このようにメモリ５３に対して該作成された予約日記のデータ（上記リンク情報等）が保持されるのであるが、制御部５２は、このメモリ５３に保持している各予約日記のデータのうち、過去分に相当する予約日記のデータをメモリ５３から読み出してモバイルサーバ装置１１にアップロードするようになっている。
【０１２１】
具体的には、制御部５２は、上記スケジュールの「詳細（内容）」の表示画面の表示中に右ソフトキー２３Ｒが押圧操作されると、タイマ５６からの計時情報に基づいて現在の日付を検出し、メモリ５３に記憶されている予約日記のデータのうち、過去分となった予約日記のデータを検出する。
【０１２２】
すなわち、現在の日付が２００３年５月２０日であった場合、制御部５２は、この２００３年５月２０日よりも前の日付を有する予約日記のデータをメモリ５３から検出する。換言すれば、制御部５２は、予約日記が登録された日付ではなく、予約日記で日記を書くように指定された日付が、２００３年５月２０日よりも前の日付を有する予約日記のデータをメモリ５３から検出する（＝過去の日付を指定している予約日記のデータを検出する。）。なお、この例の場合、２００３年５月２０日は当日に相当するため５月２０日の日付を有する予約日記のデータは検出しない。
【０１２３】
制御部５２は、過去の日付を指定している予約日記のデータを検出すると、この過去分の予約日記のデータをモバイルサーバ装置１１に送信する。モバイルサーバ装置１１は、この過去分の予約日記のデータをデコレーションサーバ装置６に転送する。デコレーションサーバ装置６は、この過去分の予約日記のデータを、そのユーザの日記データとしてデータベース８に記憶する。このデータベース８に記憶された過去分の日記データは、後述するように、ユーザが、過去分の日記を書く際に、該当する日付の日記に挿入されユーザの携帯電話機９に送信される。
【０１２４】
なお、モバイルサーバ装置１１に対する上記過去分の予約日記のデータのアップロードは、「当日日記の作成が指定された際」や「携帯メールを送受信する際」、或いは「モバイルサーバ装置１１から所望のアプリケーションプログラムをダウンロードする際」等、予約日記の作成が指定された際以外に行うようにしてもよい（上記スケジュールの「詳細（内容）」の表示画面の表示中に右ソフトキー２３Ｒが押圧操作された際以外に行うようにしてもよい）。
【０１２５】
（予約日記作成の流れ）
以下、このような予約日記作成にあたる一連の動作を、図８のフローチャートを用いて説明する。このフローチャートは、制御部５２が、スケジュール帳の表示指定操作を検出したタイミングでスタートとなる。
【０１２６】
ステップＳ１では、制御部５２が、デコレーションサーバ装置６からモバイルサーバ装置１１を介してダウンロードしたスケジュール帳のアプリケーションプログラムに基づいて、図４（ａ）に示す該当月のカレンダーを表示部２０に表示制御する。
【０１２７】
ユーザは、スケジュールの入力や変更等の編集を行う場合、該編集を行う日付にカーソルＣＲを移動操作してジョグダイヤル２１を押圧操作しスケジュールの編集を指定するのであるが（図４（ａ）〜（ｄ）参照）、ステップＳ２では、制御部５２が、このようなスケジュールの編集を指定する操作がなされたか否かを判別し、該スケジュールの編集を指定する操作を検出したタイミングで処理をステップＳ３に進める。
【０１２８】
ステップＳ３では、制御部５２が、図４（ｄ）を用いて説明したように、ユーザの編集操作に応じてスケジュールデータの入力処理を行う。そして、ステップＳ４において、ユーザにより、この編集の終了を指定する操作がなされたか否かを判別し、該編集の終了を指定する操作を検出した場合は、この図８のフローチャートに示す処理を終了する。
【０１２９】
一方、上記ステップＳ４において、上記編集の終了を指定する操作を検出しなかった場合、制御部５２は、ステップＳ５において、右ソフトキー２３Ｒの押圧操作の有無を判別することで、予約日記のアプリケーションプログラムの起動指示がなされたか否かを判別する。そして、予約日記のアプリケーションプログラムの起動指示がなされた際に、ステップＳ６において、図５（ａ）を用いて説明した予約日記の編集画面を表示部２０に表示制御する。
【０１３０】
次に、ステップＳ７では、制御部５２が、上記予約日記の編集画面の表示制御と並行して、メモリ５３に記憶されている予約日記のデータのうち、過去分に相当する予約日記のデータの有無を検出する。過去分に相当する予約日記のデータがメモリ５３に記憶されていた場合、制御部５２は、ステップＳ１１においてモバイルサーバ装置１１と通信を行い、該過去分に相当する予約日記のデータを該モバイルサーバ装置１１にアップロードすると共に、ステップＳ１２において、該アップロードした過去分の予約日記のデータをメモリ５３から削除する。なお、上記アップロードされた過去分に相当する予約日記のデータは、前述のようにデコレーションサーバ装置６に転送され日記データとしてデータベース８に保存される。
【０１３１】
次に、過去分に相当する予約日記のデータがメモリ５３に記憶されていなかった場合、図５（ａ）〜（ｅ）、図６（ａ）〜（ｃ）及び図７（ａ）〜（ｃ）を用いて説明したように、制御部５２は、予約日記の編集画面上における、ユーザの入力操作で指定された位置に、指定された文字分のスケジュールデータ（或いはシール等の画像）を貼り付けて表示部２０に表示制御する。そして、ステップＳ９において、このような予約日記の編集終了を指定する操作がなされたか否かを判別し、予約日記の編集終了を指定する操作を検出した際に、ステップＳ１０において、予約日記に貼り付けられたスケジュールデータの「貼り付け開始位置」及び「貼り付け終了位置」と、貼り付けられたスケジュールデータを読み出すための該スケジュールデータに対する「リンク情報」と、貼り付けられたシールがある場合は、上記シール箱からこの貼り付けられたシールを読み出すための該シールに対する「リンク情報」、「貼り付け開始位置」及び「貼り付け終了位置」とを、予約日記の日付に関連付けてメモリ５３に保存して、当該フローチャートに示す処理を終了する。
【０１３２】
［当日日記］
次に、携帯電話機９において、当日に日記を書く際の動作を説明する。
【０１３３】
まず、当日に日記を書く場合、ユーザは、図３に示すエージェントＥＧや各アイテム３１〜３５等が表示された表示画面の表示時に、ジョグダイヤル２１を回転操作してカーソルＣＲで当日日記のアイテム３２を選択し、該ジョグダイヤル２１を押圧操作する。この押圧操作がなされると、制御部５２は、エージェントＥＧを当日日記のアイテム３２の表示位置近辺まで歩いていくアニメーション表示を行うと共に、当日日記のアイテム３２を高輝度で表示する。これにより、ユーザに対して当日日記が選択されたことを認識させることができる。
【０１３４】
また、制御部５２は、このようなアニメーション表示と共に、当日日記のアイテム３２のアプリケーションプログラムを起動し、このアプリケーションプログラムに基づいて、当日日記の編集画面を表示部２０に表示制御する。
【０１３５】
（予約日記の挿入）
ここで、制御部５２は、この当日日記の編集画面を表示する際、タイマ５６からの計時情報に基づいて現在の日付を検出し、この現在の日付に対応する予約日記のデータがメモリ５３に記憶されているか否かを判別する。メモリ５３に予約日記のデータが記憶されている場合、制御部５２は、上記「リンク情報」に基づいてスケジュール帳にアクセスし、予約日記に貼り付けられたスケジュールデータを読み出す。そして、このスケジュールデータを、当日日記の編集画面上における、上記「貼り付け開始位置」及び「貼り付け終了位置」で示される位置に貼り付けて表示部２０に表示する。
【０１３６】
また、制御部５２は、予約日記に貼り付けられたシールがある場合、上記「リンク情報」に基づいて上記シール箱にアクセスし、予約日記に貼り付けられたシールの画像を読み出す。そして、このシールの画像を、当日日記の編集画面上における、「貼り付け開始位置」及び「貼り付け終了位置」で示される位置に貼り付けて表示部２０に表示する。
【０１３７】
これにより、予約日記というかたちで、ユーザが予め記載しておいた内容を当日日記に対して自動的に挿入することができる。
【０１３８】
図９に、このように表示された当日日記の編集画面の一例を示す。この図９（ａ）は、前述の２００３年５月３１日の予約日記の内容が挿入された当日日記の編集画面を示している。このため、予約日記の段階で入力された「コンサート」との文字と、「誕生日ディナー」との文字が当該当日日記の編集画面に挿入されている。
【０１３９】
また、制御部５２は、この編集画面の例えば右端に沿ってツールバーを表示する。このツールバーは、例えば所望の文字等を書き込む際に選択する鉛筆の画像のアイコン６０、所望のシールを貼り付ける際に選択するシール箱の画像のアイコン６１、カメラ装置で撮像された画像を貼り付ける際に選択するカメラ装置の画像のアイコン６２、及び当日日記の背景となる画像（テイスト）を指定する際に選択するアイコン６３等の複数の編集ツールのアイコンからなっている。
【０１４０】
なお、前述の予約日記の説明では、図５（ａ）に示すように「誕生日ディナー」の文字の右隣にコーヒーカップの画像のシールが貼り付けられており、このシールは、この当日日記の編集画面にも表示されるのであるが、図９（ａ）の編集画面上では、上記ツールバーで隠れているものと理解されたい。
【０１４１】
（書き込み）
次に、ユーザは、このような当日日記に書き込みを行う場合、上記編集画面が表示された際にジョグダイヤル２１を回転操作してカーソルＣＲを鉛筆の画像のアイコン６０の表示位置に移動操作し、該ジョグダイヤル２１を押圧操作する。この押圧操作を検出すると、制御部５２は、書き込みが指定されたものと認識し、上記ツールバーを消去すると共に表示画面上にカーソルを表示制御する。
【０１４２】
ユーザは、ジョグダイヤル２１等を操作してこのカーソルを、文字を書き始める位置に移動操作し、操作部５５を操作して所望の文字等の入力を行う。制御部５２は、この入力された文字等を、上記カーソルの位置から表示制御する。
【０１４３】
図９（ｂ）に、このようにして所望の文字等が入力された編集画面を示す。この例の場合、予定日記として予め記載しておいた「コンサート」との文章の後に「行った。」との文章を付加し、予定日記として予め記載しておいた「誕生日ディナー」との文章の前に「夜は」との文章を付加すると共に、該「誕生日ディナー」との文章の後に「だった。」との文章を付加した例を示している。すなわち、予定日記として予め記載しておいた「コンサート」及び「誕生日ディナー」との文章を、「コンサートに行った。夜は誕生日ディナーだった。」との文章に編集した例である。
【０１４４】
なお、この図９（ｂ）において、編集画面の右上の表示領域に太陽の画像のシールが貼り付けられているが、これは、モバイルサーバ装置１１側から指定された、その日の天候を示すシールが貼り付けられたものである。
【０１４５】
具体的には、モバイルサーバ装置１１は、図１に示すコミュニケーションサーバ装置７と通信を行うことにより、各日の天気情報の取り込みを行っている。モバイルサーバ装置１１は、この天気情報に基づいて、各日の天気に対応する天気ＩＤを形成し、携帯電話機９側から当日日記の作成が指定されると、該当日の天気を示す天気ＩＤを携帯電話機９に送信する。携帯電話機９の制御部５２は、この天気ＩＤを受信すると、当日日記のアプリケーションプログラムに基づいて、該天気ＩＤで指定されるシールを、当日日記の編集画面の日付の表示位置に近接した位置に貼り付けて表示する。図９（ｂ）は、当日が「晴れ」であった例であり、この場合、上記モバイルサーバ装置１１からの天気ＩＤに基づいて太陽の画像のシールが貼り付けられることとなる。
【０１４６】
（カメラ画像の貼り付け）
次に、ユーザは、このような当日日記に対して所望のカメラ画像の貼り付けを行う場合、右ソフトキー２３Ｒを押圧操作して上記ツールバーを表示操作し、カーソルＣＲを移動操作して、図９（ｃ）に示すカメラ装置の画像のアイコン６２を選択しジョグダイヤル２１を押圧操作する。この押圧操作を検出すると制御部５２は、当該携帯電話機９に設けられているカメラ装置を撮像可能な状態に制御する。ユーザは、このカメラ装置を用いて、当日日記に貼り付ける所望の被写体を撮像することとなる。
【０１４７】
次に、上記カメラ装置で所望の被写体が撮像されると、制御部５２は、この撮像されたカメラ画像をメモリ５３に記憶制御すると共に、該撮像されたカメラ画像に対して間引き処理を施し、所定の小サイズのカメラ画像を形成する。そして、図９（ｄ）に示すように、この小サイズのカメラ画像７１を、当日日記の編集画面上の所定の領域に貼り付けて表示する。この図９（ｄ）は、カメラ画像の貼り付け領域が、日付の表示領域の左下近辺の領域に固定されている場合の例である。なお、このカメラ画像の貼り付け領域は、ユーザがジョグダイヤル２１等を操作して指定可能としてもよい。
【０１４８】
ここで、前述のように、カメラ画像の貼り付け領域は、日付の表示領域の左下近辺の領域に固定されているのであるが、この例の場合、「コンサートに行った。」との文章の貼り付け位置が、上記固定されているカメラ画像の貼り付け領域と重なることとなる。
【０１４９】
この場合、制御部５２は、図９（ｄ）に示すように上記固定されている領域にカメラ画像を優先して貼り付け、このカメラ画像に重なることとなった文字は、カメラ画像の貼り付け領域の隣の領域に、多段的に表示し直す。これにより、カメラ画像の貼り付け前は、１段で表示されていた「コンサートに行った。」との文章が、カメラ画像の貼り付け後は、１段目に「コンサートに」との文章が表示され、２段目に「行った。」との文章が表示される等のように、計２段に分割されて表示されることとなる。
【０１５０】
（テイストの選択）
次に、この携帯電話機９の場合、当日日記の文章等の背景となる画像（テイスト）を選択可能となっている。ユーザは、このテイストの選択を行う場合、上記ツールバーを表示操作し、カーソルＣＲを移動操作してアイコン６３を選択しジョグダイヤル２１を押圧操作する。この押圧操作を検出すると制御部５２は、当該当日日記のアプリケーションプログラムの一部としてメモリ５３に記憶されているテイストの選択画面を表示部２０に表示制御する。
【０１５１】
図１０に、このテイストの一例を示す。各テイストは、カテゴリ毎に分割されてメモリ５３に記憶されている。具体的には、図１０（ａ）に示す木の枝のテイスト、図１０（ｂ）に示す蝶とトンボのテイスト、及び図１０（ｃ）に示す水草に乗ったカエルのテイストは、それぞれ「場面」のカテゴリに分類されてメモリ５３に記憶されている。同様に図１０（ｄ）に示す太陽のテイスト、図１０（ｅ）に示す雨と傘のテイスト、及び図１０（ｆ）に示す雪だるまのテイストは、それぞれ「天気」のカテゴリに分類されてメモリ５３に記憶されている。同様に、図１０（ｇ）に示すひらめいたときに顔のテイスト、図１０（ｈ）に示す泣き顔のテイスト、及び図１０（ｉ）に示す笑顔のテイストは、それぞれ「感情」のカテゴリに分類されてメモリ５３に記憶されている。
【０１５２】
このような各テイストは、図９（ｆ）に示すように表示画面に合わせて四角の枠内に表示され、かつ、複数のテイストを上記四角の対角線に沿って少しずつずらしたかたちで表示される。制御部５２は、各テイストと共に、該各テイストの枠を囲むかたちでカーソルＣＲを表示する。また、制御部５２は、カーソルＣＲで選択されているテイストを、最上位に表示する。これにより、各テイストを重ねて表示した場合でも、選択中のテイスト全体を表示することができる。
【０１５３】
ユーザは、ジョグダイヤル２１を回転操作することで、カーソルＣＲを移動操作して所望のテイストを選択し、ジョグダイヤル２１を押圧操作する。制御部５２は、この押圧操作がなされると、図９（ｇ）に示すように当日日記の背景を、上記選択されたテイストの画像とする。この図９（ｇ）は、図１０の「天気」のカテゴリのテイストのうち、「太陽のテイスト」が表示されている例である。このテイストは、入力された文字等の視認の邪魔にならないように、例えば半輝度等の低い輝度で表示され、或いはパステルカラー等の薄い色で表示される。
【０１５４】
（当日日記のアップロード）
次に、当日日記の作成が終了すると、ユーザは、左ソフトキー２３Ｌを押圧操作する。当日日記の作成時において、この左ソフトキー２３Ｌの押圧操作は、当日日記の作成終了を意味している。このため、制御部５２は、この左ソフトキー２３Ｌの押圧操作がなされると、作成された当日日記のデータをモバイルサーバ装置１１にアップロードする。
【０１５５】
モバイルサーバ装置１１は、当日日記のデータがアップロードされると、これをデコレーションサーバ装置６に転送する。デコレーションサーバ装置６は、この転送された当日日記のデータを、データベース８内における、そのユーザの記憶領域に保存する。これにより、ユーザが記載した日記がＷｅｂ上で保存されることとなる。
【０１５６】
（当日日記作成の流れ）
以下、このような当日日記作成にあたる一連の動作を、図１１のフローチャートを用いて説明する。このフローチャートは、制御部５２が、当日日記の作成指定操作を検出したタイミングでスタートとなる。
【０１５７】
ステップＳ２１では、制御部５２が、メモリ５３内に、当日日記の作成日に該当する予約日記のデータが記憶されているか否かを判別し、予約日記のデータが記憶されていない場合はステップＳ２７において当日画面の編集画面を表示部２０に表示制御する。
【０１５８】
予約日記のデータがメモリ５３に記憶されている場合、制御部５２は、ステップＳ２２において、予約日記のデータに基づいて、スケジュール帳のスケジュールデータを貼り付けた当日日記の編集画面を表示部２０に表示制御する。
【０１５９】
次に、制御部５２は、ステップＳ２３においてユーザの編集操作の有無を検出し、ステップＳ２４において、この入力操作に応じた文字やシール等を当日日記に貼り付ける編集処理を行う。そして、ステップＳ２５で、当該当日日記の編集終了の指定を検出した際に、ステップＳ２６で当日日記のデータをモバイルサーバ装置１１にアップロードして、当該図１１のフローチャートに示す処理を終了する。
【０１６０】
［日記帳の閲覧］
次に、今まで作成した日記の閲覧を行う場合、ユーザは、図３に示す表示画面が表示されている状態で、携帯電話機９のジョグダイヤル２１を回転操作し、カーソルＣＲを日記帳のアイテム３３に移動操作し、該ジョグダイヤル２１を押圧操作する。この押圧操作を検出すると制御部５２は、エージェントＥＧを日記帳３３の表示位置近辺まで歩いていくアニメーション表示を行うと共に、日記帳３３のアイテム３１を高輝度で表示する。これにより、ユーザに対して日記帳が選択されたことを認識させることができる。
【０１６１】
また、制御部５２は、このようなアニメーション表示と共に、日記帳のアイテム３３のアプリケーションプログラムを起動し、このアプリケーションプログラムに基づいて、モバイルサーバ装置１１に対して、そのユーザの日記帳のデータのダウンロード要求を行う。
【０１６２】
このダウンロード要求がなされると、モバイルサーバ装置１１は、ユーザの携帯電話機９に対してユーザＩＤ及びパスワードの入力画面を送信する。そして、ユーザの携帯電話機９からユーザＩＤ及びパスワードが返信されると、ユーザ認証後に、デコレーションサーバ装置６と通信を行い、このデコレーションサーバ装置６のデータベース８に保存されている、そのユーザの日記帳のデータの取り込みを行う。そして、この日記帳のデータをユーザの携帯電話機９に送信する。携帯電話機９の制御部５２は、上記起動した日記帳のアプリケーションプログラムに基づいて、この受信した日記帳のデータをメモリ５３に一旦記憶制御すると共に、初期画面として以下に説明する日記カレンダーを表示部２０に表示制御する。
【０１６３】
図１２（ａ）に、この表示された日記カレンダーの一例を示す。この図１２（ａ）に示すように、制御部５２は、日記を表示する前に、ユーザにより所望の日付を選択させるべく、日記帳の表示が指定された日が属する月の日記カレンダーを表示部２０に表示する。この図１２（ａ）は、「２００３年５月」の日記カレンダーの例である。
【０１６４】
制御部５２は、この日記カレンダーを表示する場合、該当日よりも過去の日付は全輝度で表示し、該当日及び該当日以降の未来の日付は半輝度で表示する（半透明表示や表示色を変えて表示してもよい。）。例えば、この日記カレンダーにおいて、５月２０日が当日であるとすると、制御部５２は、５月１日〜５月１９日までの日付を全輝度で表示し、５月２０日〜５月３１日までの日付を半輝度で表示する。
【０１６５】
また、制御部５２は、日記が記載されている日付に対して、その日記の記載内容に応じた所定の色、かつ、正四角形の画像を貼り付けて表示する。具体的には、この日記カレンダーの場合、日記の記載のなされている日付が、５月６日，５月８日，５月１２日，５月１５日，５月１９日である例を示している。
【０１６６】
例えば、５月８日，５月１２日，５月１５日の日記が、写真かシールのみが貼り付けられた日記となっており、或いは文章のみが記載された日記となっている場合、制御部５２は、この５月８日，５月１２日，５月１５日の日付の上に、上記正四角形の画像を１枚表示することで、５月８日，５月１２日，５月１５日の日記が、写真かシールのみが貼り付けられた日記か、或いは文章のみが記載された日記となっていることを表示する。
【０１６７】
これに対して、５月６日及び５月１２日の日記が、写真かシールが貼り付けられたうえで、文章が記載された日記となっている場合、制御部５２は、２枚の正四角形の画像を重ね合わせ、該各画像を対角線に沿って少しずらし、最上部に位置する画像上に日付を表示することで、５月６日及び５月１２日の日記が、写真かシールが貼り付けられたうえで、文章が記載された日記となっていることを表示する。
【０１６８】
また、制御部５２は、２枚の上記正四角形の画像を表示する際、上部に位置する画像から下部に位置する画像にかけて徐々に高い透明度で表示する。これにより、下部の画像から上部の画像にかけて、徐々に色が濃くなるかたちで各正四角形の画像が表示されることとなる。
【０１６９】
次に、ユーザはジョグダイヤル２１を回転操作することでカーソルＣＲを所望の日付の表示位置に移動操作し、該ジョグダイヤル２１を押圧操作する。この押圧操作がなされると、制御部５２は、上記日記帳のアプリケーションプログラムに基づいて、モバイルサーバ装置１１に対して、ユーザにより指定された日付の日記のデータのダウンロード要求を行う。
【０１７０】
モバイルサーバ装置１１は、このダウンロード要求をデコレーションサーバ装置６に転送する。デコレーションサーバ装置６は、このダウンロード要求に応じて、ユーザにより指定された日付の日記データをデータベース８から読み出し、これをモバイルサーバ装置１１に送信する。モバイルサーバ装置１１は、この日記データをユーザの携帯電話機９に転送する。ユーザの携帯電話機９の制御部５２は、この日記データを受信すると、図１２（ｂ）に示すように表示部２０に表示制御する。これにより、過去に記載した所望の日付の日記を閲覧することができる。
【０１７１】
次に、制御部５２は、この表示した日記にカメラ画像が貼り付けられていた場合、該カメラ画像の枠を取り囲むかたちでカーソルＣＲを表示する。これは、カメラ画像の拡大表示が可能であることを意味しており、ユーザは、カメラ画像を拡大して見る場合、カメラ画像にカーソルＣＲが位置している状態でジョグダイヤル２１を押圧操作する。
【０１７２】
前述のように、日記に貼り付けられたカメラ画像は間引き処理され縮小化されるのであるが、この縮小化された際に、日記に貼り付けられたカメラ画像に対して、メモリ５３に記憶された元となるカメラ画像を読み出すためのリンク情報が付加されるようになっている。制御部５２は、上記ジョグダイヤル２１の押圧操作を検出すると、上記リンク情報に基づいてメモリ５３から元となるカメラ画像を読み出し、これを表示部２０に表示制御する。これにより、日記に貼り付けられたカメラ画像を大きく表示することができる。
【０１７３】
［日記帳の編集］
次に、過去の日付の日記の編集を行う場合の動作を図１３のフローチャートを用いて説明する。このフローチャートは、ユーザが、図３に示す日記帳３３のアイテム３１を選択操作することでスタートとなる。
【０１７４】
ステップＳ３１では、前述の「日記帳の閲覧」時と同様に、制御部５２が、モバイルサーバ装置１１からダウンロードした日記カレンダーを表示部２０に表示制御し、ステップＳ３２で、ユーザによる所望の日付の指定操作の待ち状態となる。
【０１７５】
ユーザは、この編集を行う場合、ジョグダイヤル２１を回転操作して所望の日付にカーソルＣＲを移動操作した状態で右ソフトキー２３Ｒを押圧操作する。この場合、右ソフトキー２３Ｒの押圧操作は、カーソルＣＲで選択された日付の日記データの編集指示を意味している。このため、制御部５２は、右ソフトキー２３Ｒが押圧操作されると、モバイルサーバ装置１１から、該指定された日付の日記データを取り込み、ステップＳ３４において、この日記データの取り込み完了を検出した際に、ステップＳ３５において、該取り込んだ日記データを表示部２０に表示制御する。
【０１７６】
これにより、ダウンロードした日付の日記データに対して、所望の文字を挿入し、或いは所望のカメラ画像やシールの画像を貼り付ける編集が可能となる。この編集処理は、図１１のフローチャートのステップＳ２３〜ステップＳ２６の動作と同様である。詳しくは、図１１のフローチャートの説明を参照されたい。
【０１７７】
ここで、ユーザは、このように日記帳の所望の日付の日記を編集することができるのであるが、過去に日記がつけられていない日付が指定された場合、デコレーションサーバ装置６は、データベース８に前述の予定日記のデータが存在するか否かを判別する。そして、予定日記のデータが存在する場合、これを編集画面に挿入し、モバイルサーバ装置１１を介してユーザの携帯電話機９に送信する。これにより、ユーザは、予定日記のデータが挿入された状態から日記の編集を行うことができる。
【０１７８】
［実施の形態の効果］
以上の説明から明らかなように、この実施の形態においては、予約日記作成の段階でユーザにより挿入することが予約されたスケジュールデータを、当日日記作成の段階で、該当日日記に挿入することができる。このため、ユーザが希望するスケジュールデータが挿入された当日日記を自動的に作成することができる。
【０１７９】
また、予約日記作成の段階でスケジュールデータ自体を保持すると、スケジュール帳と予約日記とで、同じスケジュールデータを２重に保持する不都合を生ずるのであるが、この実施の形態の場合、予約日記作成の段階でユーザにより挿入することが予約されたスケジュールデータは、該スケジュールを上記スケジュール帳から読み出すためのリンク情報として保持するようになっている。このため、上記同じスケジュールデータを２重に保持することで、メモリ５３の記憶領域が圧迫される不都合を防止することができる。
【０１８０】
また、この実施の形態の場合、携帯電話機で実現することができるため、外出先や出張先等で、所望のスケジュールを選択して予約日記を作成しておくだけで、この予約日記の内容を当日日記に反映させることができる。このため、出張先や外出先からでも簡単に日記を作成可能とすることができる。
【０１８１】
また、この実施の形態の場合、制御部５２が、過去分となった予約日記データをインターネット上のデコレーションサーバ装置６のデータベース８にアップロードし、このアップロードした上記過去分の予約日記データを上記メモリ５３から消去する。これにより、過去分の予約日記データを上記インターネット上のデータベース８に保存し直すかたちでメモリ５３から消去することができる。従って、過去分の予約日記データの増加により、メモリ５３の記憶領域が圧迫される不都合を防止することができる。
【０１８２】
最後に、上述の発明を実施するための最良の形態は本発明の一例である。このため、本発明は、上述の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【０１８３】
【図１】本発明を適用した実施の形態の携帯電話機が用いられる情報処理システムのブロック図である。
【図２】上記携帯電話機のブロック図である。
【図３】上記携帯電話機で表示されるグラフィックユーザインターフェイスの一例を示す図である。
【図４】上記携帯電話機におけるスケジュール帳の編集作業を説明するための図である。
【図５】上記携帯電話機における予約日記の編集作業を説明するための図である。
【図６】上記予約日記に対するシールの画像の貼り付け動作を説明するための図である。
【図７】上記予約日記における文章の上書き動作を説明するための図である。
【図８】上記予約日記の編集動作の流れを示すフローチャートである。
【図９】上記携帯電話機における当日日記の編集作業を説明するための図である。
【図１０】上記当日日記の背景として選択可能なテイストの画像の例を示す図である。
【図１１】上記当日日記の編集動作の流れを示すフローチャートである。
【図１２】上記携帯電話機における日記帳の編集作業を説明するための図である。
【図１３】上記日記帳における編集動作の流れを示すフローチャートである。
【符号の説明】
【０１８４】
１  サーバシステム、２  通信システム、３  家庭内ネットワークシステム、４  インターネット、５  コントロールサーバ装置、６  デコレーションサーバ装置、７  コミュニケーションサーバ装置、８  デコレーションサーバ装置のデータベース、９  携帯電話機、１０  基地局、１１  モバイルサーバ装置、１２  通信ネットワーク、２０  携帯電話機の表示部、２１  携帯電話機のジョグダイアル、２２Ｒ  携帯電話機の右キー、２２Ｌ  携帯電話機の左キー、２３Ｌ  携帯電話機の左ソフトキー、２３Ｒ  携帯電話機の右ソフトキー、３１  スケジュール帳のアイテム、３２  当日日記のアイテム、３３  日記帳のアイテム、３４  シール箱のアイテム、３５  トランスポータのアイテム、５２  携帯電話機の制御部、５３  携帯電話機のメモリ、５６  携帯電話機のタイマ
【図１】
2005149261.tif 000003
【図２】
2005149261.tif 000004
【図３】
2005149261.tif 000005
【図４】
2005149261.tif 000006
【図５】
2005149261.tif 000007
【図６】
2005149261.tif 000008
【図７】
2005149261.tif 000009
【図８】
2005149261.tif 000010
【図９】
2005149261.tif 000011
【図１０】
2005149261.tif 000012
【図１１】
2005149261.tif 000013
【図１２】
2005149261.tif 000014
【図１３】
2005149261.tif 000015